(57)【要約】      （修正有） 【課題】クリアホルダー掲示板とホワイトボードを併合したフレキシブル掲示板を提供する。【解決手段】Ａ３以下のホワイトボード２裏面に、表示シートの収納・差し替えが可能な硬質クリアホルダーを構成して、ホワイトボード２への手書き情報とＰＣ（パソコン）で印刷した資料および写真画像を収納して、ボード両面での情報提示を可能にした、クリアホルダー併用ホワイトボード掲示板１とし、このホワイトボード掲示板１を、左・右の掲示板ホルダー４のスリットに差し込み挟持して、掲示板ホルダー４の正面に、ＰＣでラベル印刷した名刺または、はがきサイズのデザインカードを両面テープで貼り付け、好みのデザインカードの選択を可能としたホルダーを持つ。【選択図】図２
0003211831.tif 000002
【実用新案登録請求の範囲】
【請求項１】
Ａ３以下のホワイトボード裏面に、表示シートの収納・差し替えが可能な硬質クリアホルダーを構成する掲示板として、ホワイトボードへの手書き情報と
ＰＣ（パソコン）で印刷した資料および写真画像などを収納して、ボード両面での情報提示を可能にした、クリアホルダー併用ホワイトボード。
【請求項２】
請求項１記載のボード（掲示板）などを,左・右の掲示板ホルダーのスリットに差し込み挟持するホルダーで、Ａ３横やＡ４縦置き以下を想定した掲示板の正面に,ＰＣでラベル印刷した名刺サイズのデザインカードを両面テープなどで貼り付け、好みのデザインに選択を可能とした、名刺サイズ掲示板ホルダー。
【請求項３】
請求項２記載の掲示板ホルダーをベースに、Ａ２横ホワイトボードやＡ３縦薄型写真額縁の挟持を可能としたホルダーの正面に、はがきサイズのデザインカードを貼り付けた、はがきサイズ掲示板ホルダー。
【請求項４】
請求項１〜３のいずれか１項に記載の掲示板に、傾斜を持たせて観やすくするため、左・右のホルダー裏面に支持板（棒）などを丁番や差し込み方式で取り付け、自立を可能とした掲示板一式を、フレキシブル掲示板ユニットとした。またこの掲示板ユニットに併せ、予めクラウドコンピュータなどに準備した掲示板関連コンテンツを、自身のＰＣで外部モニター(TV)に映写することで、宣伝・コミュニケーション機能を補強したＰＣ利用フレキシブル掲示板システムとした。
【考案の詳細な説明】
【技術分野】
【０００１】
本考案は、Ａ３以下のクリアホルダーに収納した表示シートを容易に差し替え可能な掲示板として、左・右のホルダースリットに差し込み挟持して、掲示する方式から、個人の想いや少人数グループでのコミュニケーション促進ツールとして名刺サイズホルダーを考え、会社・団体向けには、宣伝・販促ツール掲示板として、Ａ２ホワイトボードやＡ３以下の写真額縁を自立して掲示可能な、はがきサイズホルダーを考案、この過程でＡ３やＡ４ホワイトボード裏面に、クリアホルダーを設置した、クリアホルダー併用ホワイトボードが有用と考えた、  
【背景技術】
【０００２】
小型シートなどの掲示板については、下記特許文献３などに提案されており、ＰＣを使ったモニター画像との組み合わせに関する特許情報は用途が限定されている、しかしＩＴの進歩もあり、情報量が多い場合は、特許文献４などネットワークを使った電子掲示板が多く使われている、
【先行技術文献】
【特許文献】
【０００３】
【特許文献１】特開2012-192723号公報
【特許文献２】実用新案  第3030408号公報
【特許文献３】特開2005-07376号公報
【特許文献４】特開2006-106953号公報
【考案の概要】
【０００４】
継続して内容を伝えるには、自身でホワイトボードにマーカなどで書いたり
、ＰＣで印刷して表示シートを張り出す、またはラミネートやクリアホルダーで保護・収納した掲示板が考えられ、Ａ３やＡ４ホワイトボード裏面に、クリアホルダーを構築した、掲示板併用ホワイトボードを考案すると共にホルダーの左右スリットに差し込み挟持する掲示板に傾斜を持たせ観やすくするため樹脂や木製ホルダー裏面に直接差し込み支持棒または丁番で支持板などを取り付ける方法を検討したほか、この掲示板ホルダーに愛着を持って貰うため、ホルダー上部にロゴなどをレーザ光で焼き付け、また正面には好みのデザインを印刷したカードを両面テープでホルダーに貼り付け、これらを含む図２に示す一式を、フレキシブル掲示板ユニットとした
【０００５】
掲示板の厚さや高さとのバランスから、はがきサイズのデザインカードを持つ掲示板ホルダーでは、スリット幅を広げ、Ａ２横ホウィトボードやＡ３縦の写真額縁を左右のホルダーで容易に挟持可能としたほか、材料費抑制と温もり感から木製とした
【０００６】
更に宣伝やコミュニケーションの効果を高めるため、机上台の前面にこの掲示板
ユニットを配置、台上には外部モニター（ＴＶ）を設置し、予めクラウドコンピュータなどに用意した掲示板の内容関連コンテンツを、ＴＶに写すことで宣伝・コミュニケーション促進に繋げるとして、図４に記載するシステムを“ＰＣ利用フレキシブル掲示板システム”とした
【考案が解決しようとする課題】
【０００７】
イ. Ａ３やＡ４サイズのクリアホルダーとホワイトボードやミラー単独のものは、市        販されているが、これらを合体したものは無く、合体すれば家庭や小グループ活        動でのコミュニケーション促進に有効と考えられる
ロ. 名刺やはがきサイズカードを持つ掲示板ホルダーを,３Ｄプリンターを使って試        作したが、高価となり普及品はなく、デザインなどで価値を感じて貰えるものに        する必要がある  
ハ. 会社などで使用して貰うには、手書きなどの即応性や映像などを加味したシステ        ムで、興味を誘うコンテンツを提供する必要があり、協働製作の形で、愛着を感        じて貰うものにする必要がある、
【課題を解決するための手段】
【０００８】
1. ＤｏＩｔＹｏｕｒＳｅｌｆによる自分好みのデザインカード製作の協同化や、金        型による樹脂押出成形をすれば、大幅なコストダウンが見込まれ、左・右の掲示        板ホルダーを裏・表共通形態にして、金型の製作コストを抑える
２. コミュニケーション促進のため、Ａ３以下のクリアホルダーでは、ホワイト          ボードとの併用および、Ａ２ホワイトボードや写真額縁の挟持も可能として、利        用者のニーズ拡大に対処する
３. 展示会への出品やクラウドファンディングなどで賛同する団体や仲間を募り、        業種別掲示板ホルダーのデザイン共用化を図るほか、需要を掘り起こし、ホル             ダー製作のロットサイズを大きくして単価を抑える
【考案の効果】
【０００９】
本考案のフレキシブル掲示板ユニットは、名刺カードホルダーでは、絵画や写真愛好家などに呼びかけ、成果達成に向けた有効なツールとして利用願う
【００１０】
宣伝を含む会社・団体向けでは、展示会などでの宣伝ツールとして、はがきサイズホルダーのデザインをより充実させ、部門目標の達成に向けたコミュニケーション促進に役立てる
【００１１】
これらの実効性を高めるため、クラウドファンディングなどで賛同した
団体や個人に、本開発品を提供して会員になって貰い、利用者の立場から使い勝手やコンテンツ製作などで意見を交換、宣伝・コミュニケーション促進用フレキシブル掲示板ユニットの普及を図る
【図面の簡単な説明】
【００１２】
【図１】・・・クリアホルダー併用ホワイトボード構成図
【図２】・・・フレキシブル掲示板ユニット姿図
【図３】・・・掲示板ホルダー姿図
【図４】・・・ＰＣ利用フレキシブル掲示板システム構成図
【考案を実施するための形態】
【００１３】
（第１実施形態）クリアホルダー併用ホワイトボード
図１のようなＡ３やＡ４ホワイトボード裏面で、クリアホルダーを構成可能なホワイトボードと名刺サイズ掲示板ホルダーを合わせ、自己の意志表示含む伝言や掲示板として、家庭や職場グループでの、価値が見出されることを期待している。またクリアホルダー併用ホワイトボード掲示板について、図１を用いて説明する
２ホワイトボード裏面板に、表示シート挿入面は事前にボード固定枠で固定し、その後淵面樹脂を張り合わせたクリアホルダー表面板を載せ、これらを縁面固定枠で固定して、ホワイトボードの表・裏両面が使える“クリアホルダー併用ホワイトボード掲示板”として利用
【００１４】
（第２実施形態）フレキシブル掲示板ユニット    
表示シートを硬質クリアホルダーなどに収納した掲示板を、図３に示す左右の掲示板ホルダーのスリットで挟持するもので、この掲示板に傾斜を持たせ、観やすくするため、丁番で接合した支持板や支持棒などで掲示板ホルダー本体を支え、自立した掲示板とした、
【００１５】
掲示板ホルダーに特徴を持たせるため、図３に示すホルダー正面に名刺またははがきサイズの５カードにデザインを印刷した７ラベルシールを貼り付けるとして、掲示板とホルダーの高さのバランスから個人や小グループ向けとして、
Ａ３以下の掲示板用に、名刺サイズのデザインを持つホルダーとした
【００１６】
会社・団体の宣伝や展示用を想定した掲示板は、はがきサイズのデザインカードを持つホルダーとし、このホルダーのスリット幅を広げ、Ａ１横ホワイトボードやＡ３縦の写真額縁なども挟持可能とした、はがきサイズフレキシブル掲示板ユニット
【００１７】
（第３実施形態）ＰＣ利用フレキシブル掲示板システム
図４を用いて説明する
【００１８】
第２実施形態のフレキシブル掲示板ユニットを,９机上台の正面に配置、10タブレットＰＣと11ＨＤＭＩ（登録商標）ケーブルで接続された１2外部モニター（ＴＶ）を机上台の上に設置、予めクラウドコンピュータなどに準備した掲示板関連コンテンツを、自身のタブレットＰＣなどで選択して、外部モニターに映写、宣伝やコミュニケーションの効果を高める、ＰＣ利用フレキシブル掲示板システムとした
【産業上の利用可能性】
【００１９】
第一や第二実施形態では、自己実現意欲を持つ個人有志やグループ活動のリーダ
に計画実現に向けた宣伝補助ツールとして利用いただき、コンテンツ製作能力があれば、第三実施形態が可能として、観光施設や園芸店、住宅リフォーム店などの映像などによる宣伝・コミュニケーション促進で、集客効果が見込め、展示会などで図２のフレキシブル掲示板ユニットや図４のＰＣ利用フレキシブル掲示板システムのコンテンツの提供ができれば。  地域活性化に向けた取り組みが可能となる        
【符号の説明】
【００２０】
ＰＣ利用フレキシブル掲示板システムについては、映像を制御するタブレットＰＣなどは構成品のみを示し、映像コンテンツなどソフト製作手法については、触れない
１  Ａ３＆Ａ４クリアホルダー掲示板（表示シートの保護・収納が可能）
１−２  クリアホルダー片表面無しの仕掛品
２  Ａ３＆Ａ４ホワイトボード
２−１  ホワイトボード裏面厚紙
２−２  ホワイトボード上部淵固定枠
２−３  ホワイトボード上部除く淵固定枠
３  Ａ３＆Ａ４クリアホルダー併用ホワイトボード
４  掲示板ホルダー（名刺またははがきサイズホルダー）
５  デザインカード（名刺やはがきサイズデザインシール貼り付け用）  
６  ラベル印刷シール１（名刺サイズデザイン貼り付けシール）
７  ラベル印刷シール２（はがきサイズデザイン貼り付けシール）
８  掲示板ホルダー傾斜支持具（ホルダー裏面差し込み棒や蝶番接合支持板）
９  机上台（選択された市販品）
10  タブレットＰＣ（クラウドコンピュータとインターネット接続）
11  ＨＤＭＩ(登録商標）ケーブル 
12  外部モニター（ＴＶ）
【図１】
0003211831.tif 000003
【図２】
0003211831.tif 000004
【図３】
0003211831.tif 000005
【図４】
0003211831.tif 000006
【手続補正書】
【提出日】平成29年4月4日(2017.4.4)
【手続補正１】
【補正対象書類名】実用新案登録請求の範囲
【補正対象項目名】全文
【補正方法】変更
【補正の内容】
【実用新案登録請求の範囲】
【請求項１】
Ａ３以下のホワイトボード裏面に、表示シートの収納・差し替えが可能な硬質クリアホルダーを構成するとして、ホワイトボードへの手書き情報とＰＣ（パソコン）で印刷した資料および写真画像などを収納して、ボード両面での情報提示を可能にした、ホワイトボード併用クリアホルダーを備えたフレキシブル掲示板。
【請求項２】
Ａ３以下のホワイトボード裏面ダンボール紙に樹脂製薄型ミラーを貼り合わせ、ホワイトボード両面で手書き文字と姿見を可能にした、ホワイトボード併用ミラーを備えたフレキシブル掲示板。
【請求項３】
請求項１、２いずれか１項に記載のホワイトボード併用掲示板を,左・右の掲示板ホルダーのスリットに差し込み挟持するホルダーで、Ａ２横置き以下を想定したボードの正面に,ＰＣでラベル印刷した名刺または、はがきサイズのデザインカードを両面テープで貼り付け、好みのデザインカードに選択を可能とした、フレキシブル掲示板ホルダーを持つフレキシブル掲示板。
【請求項４】
請求項３記載のフレキシブル掲示板ホルダーに、傾斜を持たせて観やすくするため、左・右のホルダー裏面に支持板（棒）を丁番（差し込み方式）で取り付け、自立を可能とした掲示板一式を、ホワイトボード併用のフレキシブル掲示板。 
【手続補正書】
【提出日】平成29年6月9日(2017.6.9)
【手続補正１】
【補正対象書類名】実用新案登録請求の範囲
【補正対象項目名】全文
【補正方法】変更
【補正の内容】
【実用新案登録請求の範囲】
【請求項１】
Ａ３以下のホワイトボード裏面に、表示シートの収納・差し替えが可能な硬質クリアホルダーを構成するとして、ホワイトボードへの手書き情報とＰＣ（パソコン）で印刷した資料および写真画像を収納して、ボード両面での情報提示を可能にした、クリアホルダー併用ホワイトボードフレキシブル掲示板
【請求項２】
Ａ３以下のホワイトボード裏面ダンボール紙に樹脂製薄型ミラーを貼り合わせ、ホワイトボード両面で手書き文字と姿見を可能にした、ホワイトボード併用ミラーを備えたフレキシブル掲示板
【請求項３】
請求項１、２いずれか１項に記載のホワイトボード掲示板を,左・右の掲示板ホルダーのスリットに差し込み挟持するホルダーで、掲示板ホルダーの正面に,ＰＣでラベル印刷した名刺または、はがきサイズのデザインカードを両面テープで貼り付け、好みのデザインカードに選択を可能としたホルダーを持つ、フレキシブル掲示板
【請求項４】
請求項３記載のフレキシブル掲示板ホルダーに、傾斜を持たせて観やすくするため、左・右のホルダー裏面に、支持板を丁番で取り付けるか、支持棒を直接差し込むことで、自立を可能とした掲示板一式を備えたホワイトボード併用のフレキシブル掲示板。